(57)【特許請求の範囲】
【請求項１】
構造物に備えたアイソレーターに連絡可能であるとともに上方にスペースを有した状態で障害物が配置された搬送路内で、前記アイソレーターを搬送するためのアイソレーター搬送機構であって、
前記アイソレーターを前記障害物より上方位置に上昇させるための昇降手段と、
前記障害物の上方を横断するようにして移動させるための横移動手段と、
を備えていることを特徴とするアイソレーター搬送機構。
【請求項２】
前記横移動手段は、前記障害物の上方に前記横断方向に沿って配置されるとともに、前記昇降手段を横移動させるためのガイドレールであることを特徴とする請求項１に記載のアイソレーター搬送機構。
【請求項３】
前記横移動手段は、前記横断方向に前記アイソレーターを移動させるように配列させた移送コロを上面に備えたコロ架台であることを特徴とする請求項１に記載のアイソレーター搬送機構。
【請求項４】
前記昇降手段は、吊上げ装置であることを特徴とする請求項１乃至３のいずれかに記載のアイソレーター搬送機構。
【請求項５】
前記アイソレーターには、前記吊上げ装置に連結可能な吊り冶具が設けられていることを特徴とする請求項４に記載のアイソレーター搬送機構。
【請求項６】
前記アイソレーターは、前記吊上げ装置で吊り上げ可能な吊り台車に載置されていることを特徴とする請求項４に記載のアイソレーター搬送機構。
【請求項７】
前記コロ架台は、前記障害物の上方位置に固定配置された固定コロ架台と、該固定コロ架台を挟んだ前記横断方向両側に取り外し可能に隣接配置された移動コロ架台とからなることを特徴とする請求項３に記載のアイソレーター搬送機構。
【請求項８】
前記コロ架台は、前記障害物の上方位置に固定配置された固定コロ架台と、該固定コロ架台を挟んだ前記横断方向両側に隣接配置された昇降コロ架台とからなり、
前記昇降手段は、前記昇降コロ架台に設けられ、前記移送コロを上下方向に移動させるリフト機構であることを特徴とする請求項３に記載のアイソレーター搬送機構。
【発明の詳細な説明】
【技術分野】
【０００１】
本発明は、構造物に設けられるアイソレーターを搬送するためのアイソレーター搬送機構に関する。
【背景技術】
【０００２】
従来、鉄骨造、鉄筋コンクリート造、鉄骨鉄筋コンクリート造による建物、土木構造物、大規模モニュメントなどの各種の構築物の耐震性を向上させるために、積層ゴムを上下フランジ間に設けてなる免震装置（以下、アイソレーターという）をその構築物の地下部や中間層部に用いて免震部を形成し、地盤側から建物に達した地震時の揺れを免震部で抑えるようにしている。そして、この免震部を構成しているアイソレーターは、施工中に誤って損傷させてしまったり、その耐用年数に達したり、或いは設置条件の変化により著しく劣化した場合などにこのアイソレーターの交換が行われる。
【０００３】
このようなアイソレーターの交換に際しては、免震部の下部構造部と上部構造部との間に躯体支持ジャッキを配し、ジャッキアップしてアイソレーターの交換を行ない易くするための間隔をアイソレーターと上部構造部との間に開けてからそのアイソレーターの交換を行なうようにしているのが一般的となっている。
ところで、上述したアイソレーターは重量物であって作業員の人力による交換作業が煩雑であり、上下構造部との連結を解いたアイソレーターを横移動させて撤去する場合や、新たなアイソレーターをそのアイソレーター設置位置まで横移動させる作業に多大な手間を要している。
【０００４】
そこで、簡易な構成の冶具を使用して重量の大きなアイソレーターの横移動を行い、アイソレーターの交換に係る労力を低減させるための交換冶具が、例えば特許文献１に提案されている。
特許文献１は、ジャッキ支持枠で取り囲んだ免震装置の上フランジに当接して免震装置を上げ下げ可能に支持する昇降ジャッキと、ジャッキ支持枠の下部に取り付けられている車輪とからなり、昇降ジャッキで持ち上げた免震装置を横移動させる交換冶具について開示したものである。
【特許文献１】特開２００５−２２０５３６号公報
【発明の開示】
【発明が解決しようとする課題】
【０００５】
しかしながら、従来のアイソレーターの交換冶具では、以下のような問題があった。
すなわち、アイソレーターの交換時にアイソレーターの搬入出用の通路が建物内に確保されており、一般的に建物の場合、上下のスラブ間がその通路となっている。ところが、その通路には建物の設備配管が配設されるケースが多く、その設備配管はスラブを下方から支持する大梁の下方の高さ寸法内に配設されている。そのため、設備配管の下からスラブ上までの高さが制限されてしまい、アイソレーター交換時に例えば上述した特許文献１のような交換冶具でアイソレーターを持ち上げて浮かせた状態のまま走行して、設備配管の下方を搬送できる十分な高さ寸法が確保できるとは限らないといった現状がある。その場合、設備配管が走行の障害物となり、その設備配管の一部を一時的に取り外して搬送路を確保し、交換作業終了時に設備配管を復旧するという手間のかかる作業を行う必要があるうえ、とくに、病院などのように、一時的にも設備配管の機能を止めることが困難な建物においては、搬送ができないという問題があった。
【０００６】
本発明は、上述する問題点に鑑みてなされたもので、簡単な構成の構造で、障害物を乗り越えて容易に搬送することができ、作業効率の向上を図ることができるアイソレーター搬送機構を提供することを目的とする。
【課題を解決するための手段】
【０００７】
上記目的を達成するため、本発明に係るアイソレーター搬送機構では、構造物に備えたアイソレーターに連絡可能であるとともに上方にスペースを有した状態で障害物が配置された搬送路内で、アイソレーターを搬送するためのアイソレーター搬送機構であって、アイソレーターを障害物より上方位置に上昇させるための昇降手段と、障害物の上方を横断するようにして移動させるための横移動手段とを備えていることを特徴としている。
本発明では、アイソレーター交換時に、構造物から取り外したアイソレーターを障害物の手前の所定位置で昇降手段により上昇させ、その上昇位置のアイソレーターを横移動手段によって搬送側へ向けて横移動させ、障害物の上方を通過した所定位置で昇降手段によってアイソレーターを下方に降ろすことで、障害物を乗り越えてアイソレーターを搬送させることができる。
【０００８】
また、本発明に係るアイソレーター搬送機構では、横移動手段は、障害物の上方に横断方向に沿って配置されるとともに、昇降手段を横移動させるためのガイドレールであることが好ましい。
本発明では、構造物から取り外したアイソレーターを障害物の手前の所定位置で昇降手段により上昇させ、アイソレーターとともに昇降手段をガイドレールに沿って搬送側へ向けて横移動させ、障害物の上方を通過した所定位置で昇降手段によってアイソレーターを下方に降ろすことで、障害物を乗り越えてアイソレーターを搬送させることができる。
【０００９】
また、本発明に係るアイソレーター搬送機構では、横移動手段は、横断方向にアイソレーターを移動させるように配列させた移送コロを上面に備えたコロ架台であることが好ましい。
本発明では、構造物から取り外したアイソレーターを障害物の手前の所定位置で昇降手段により上昇させ、そのアイソレーターをコロ架台の移送コロ上に載せてから移送コロに沿って搬送側へ向けて横移動させ、障害物の上方を通過した所定位置でコロ架台上のアイソレーターを昇降手段で下方に降ろすことで、障害物を乗り越えてアイソレーターを搬送させることができる。
【００１０】
また、本発明に係るアイソレーター搬送機構では、昇降手段は、吊上げ装置であることが好ましい。
本発明では、構造物から取り外したアイソレーターを障害物の手前の所定位置で吊上げ装置により上昇させ、その上昇位置のアイソレーターを横移動手段によって搬送側へ向けて横移動させ、障害物の上方を通過した所定位置で吊上げ装置によってアイソレーターを下方に降ろすことで、障害物を乗り越えてアイソレーターを搬送させることができる。
【００１１】
また、本発明に係るアイソレーター搬送機構では、アイソレーターには、吊上げ装置に連結可能な吊り冶具が設けられていることが好ましい。
本発明では、構造物から取り外したアイソレーターに吊り冶具を取り付け、その吊り冶具を吊上げ装置で吊り上げ可能な所定位置へアイソレーターを移動させた後、吊上げ装置でアイソレーターとともに吊り冶具を吊り上げ、横移動手段で搬送側へ向けて横移動させ、障害物の上方を通過した所定位置で吊り冶具とともにアイソレーターを降ろすことで、障害物を乗り越えてアイソレーターを搬送させることができる。
【００１２】
また、本発明に係るアイソレーター搬送機構では、アイソレーターは、吊上げ装置で吊り上げ可能な吊り台車に載置されていることが好ましい。
本発明では、構造物から取り外したアイソレーターを吊り台車上に載置し、その吊り台車を吊上げ装置で吊り上げ可能な所定位置へ移動させた後、吊上げ装置で吊り台車とともにアイソレーターを吊り上げ、横移動手段で搬送側へ向けて横移動させ、障害物の上方を通過した所定位置で吊り台車を降ろすことで、障害物を乗り越えてアイソレーターを搬送させることができる。
【００１３】
また、本発明に係るアイソレーター搬送機構では、コロ架台は、障害物の上方位置に固定配置された固定コロ架台と、固定コロ架台を挟んだ横断方向両側に取り外し可能に隣接配置された移動コロ架台とからなることが好ましい。
本発明では、構造物から取り外したアイソレーターを障害物の手前の所定位置で昇降手段によって上昇させた後、固定コロ架台を挟んだ横断方向両側に移動コロ架台を隣接配置し、上昇させたアイソレーターをその下方の移動コロ架台の移送コロ上に降ろし、それぞれのコロ架台の移送コロ上を搬送側へ向けて横移動させて、反対側に設置した移動コロ架台上にアイソレーターを移動させる。そして、そのアイソレーターを昇降手段で上昇させ、その下方に位置する移動コロ架台を取り外してから、前記上昇させたアイソレーターを下方に降ろすことで、障害物を乗り越えてアイソレーターを搬送させることができる。
【００１４】
また、本発明に係るアイソレーター搬送機構では、コロ架台は、障害物の上方位置に固定配置された固定コロ架台と、固定コロ架台を挟んだ横断方向両側に隣接配置された昇降コロ架台とからなり、昇降手段は、昇降コロ架台に設けられ、移送コロを上下方向に移動させるリフト機構であることが好ましい。
本発明では、構造物から取り外したアイソレーターを障害物の手前の所定位置で、移送コロを下降させた状態の昇降コロ架台上にアイソレーターを載置した後、昇降コロ架台の移送コロが固定コロ架台の移送コロと同じ高さになるようにリフト機構により上昇させ、このとき固定コロ架台を挟んだ横断方向両側の昇降コロ架台の移送コロも固定コロ架台の移送コロと同じ高さにしておき、アイソレーターをそれぞれのコロ架台の移送コロ上を搬送側へ向けて横移動させて、反対側に設置した昇降コロ架台上にアイソレーターを移動させる。そして、リフト機構によりアイソレーターを移送コロとともに降ろすことで、障害物を乗り越えてアイソレーターを搬送させることができる。
【発明の効果】
【００１５】
本発明のアイソレーター搬送機構によれば、簡単な構成の構造で、搬送路に設けられた障害物の上方を乗り越えてアイソレーターを容易に搬送させることができることから、アイソレーターの搬送路に設備配管が配設されている構造物においてアイソレーターを交換する場合であっても、設備配管の一部を取り外して搬送路を確保するといった作業が不要となり、作業効率の向上を図ることができる。
【発明を実施するための最良の形態】
【００１６】
以下、本発明の第１の実施の形態によるアイソレーター搬送機構について、図１乃至図４に基づいて説明する。
図１は本発明の第１の実施の形態による第１アイソレーター搬送機構の概略を示す一部破断側面図、図２はアイソレーターに吊り冶具を取り付けた状態を上から見た図、図３は図２のＡ−Ａ線矢視図であって、係止ピンにチェーンブロックのフックを係止させた状態の図、図４は図２に示すＢ−Ｂ線矢視図である。
【００１７】
図１に示すように、本第１の実施の形態によるアイソレーター搬送機構１０は、例えばビルなどの建物２（構造物）のスラブ５、５（５Ａ、５Ｂ）どうしの間に配置される柱３に設けられた免震装置（以下、アイソレーター１という）を、柱３の免震部から取り外して搬出し、新たなアイソレーター１を前記免震部に搬入して取り付ける交換作業に適用され、柱３の免震部に通じる搬送路Ｒを横移動させる際に、その搬送路Ｒに配される設備配管６（障害物）の上方を乗り越えるようにしてアイソレーター１を搬送させるためのものである。
【００１８】
ここで、建物２は、スラブ５が大梁４によって下方から支持され、大梁４の下面４ａとその下方に位置するスラブ５（図１に示す５Ｂ）の上面５ｂとの間のスペースには、複数本の設備配管６（障害物）が配設されており、搬送路Ｒの障害物となっている。
第１の実施の形態で使用されるアイソレーター１は、例えば２ｔの重量を有する平面視円形をなし、鋼板とゴム材とを交互に積層させ、その上下両端を上下フランジ１ａ、１ｂ（図３、図４参照）によって挟持した構造の公知の免震ゴムを採用したものである。
【００１９】
図１に示す第１アイソレーター搬送機構１０は、搬送路Ｒの上方に位置するスラブ５Ａの下面５ａに沿って設備配管６を横断する方向（以下、横断方向Ｆとする）に設けたガイドレール１１（横移動手段）と、ガイドレール１１に沿って移動するチェーンブロック１２（昇降手段、吊上げ装置）とから概略構成されている。ガイドレール１１は、Ｈ形鋼材、又はＩ形鋼材からなり、長手方向を設備配管６の延設方向に略直交する方向（横断方向Ｆ）に向けて配置されるとともに、スラブ５の下面５ａにアンカーボルト（図示省略）などで固定され、その両端部が大梁４、４に支持されている。チェーンブロック１２は、ガイドレール１１の下フランジ１１ａに沿って移動可能なトロリ１２ａを備えており、手動で移動できるようになっている。
【００２０】
そして、図２乃至図４に示すように、搬送時のアイソレーター１には、チェーンブロック１２によって連結可能な吊り冶具７が使用されている。
吊り冶具７は、長尺鋼材からなり、その長手方向中央にチェーンブロック１２のフック１２ｂを引掛けるための係止ピン７ａが設けられ、アイソレーター１の上フランジ１ａ上に配置した状態で、上フランジ１ａの外周部に設けられたボルト孔１ｃに対応するボルト取付け穴７ｂが形成されている。つまり、吊り冶具７のボルト取付け穴７ｂをボルト孔１ｃに合わせてボルト７ｃで締結することで、アイソレーター１に吊り冶具７が取り付けられるようになっている。
【００２１】
次に、上述した第１アイソレーター搬送機構１を用いたアイソレーター１の交換手順について図面に基づいて説明する。
なお、交換手順を説明するにあたって、第１アイソレーター搬送機構１０における設備配管６を挟んだ両側のうち柱３の免震部から取り外したアイソレーター１を吊り上げる位置を上昇位置Ｈ１とし、そのアイソレーター１を吊り降ろす位置を下降位置Ｈ２として以下統一して用いる。
【００２２】
図１に示すように、アイソレーター１の交換手順は、柱３の免震部に設置されているアイソレーター１に損傷等がある場合等における交換作業によるものである。先ず、アイソレーター１と柱３との接合をボルトの取り外しにより解除し、アイソレーター１を一旦、台車８に載せ替え、そのアイソレーター１が吊上げ可能な位置、すなわち設備配管６の手前の位置（上昇位置Ｈ１）まで搬送する。そして、アイソレーター１に吊り冶具７を取り付け、チェーンブロック１２でアイソレーター１が設備配管６より上方となる高さまで吊り上げて上昇させ、チェーンブロック１２のトロリ１２ａでガイドレール１１上を搬送側に向けて横移動させ、設備配管６の上方を通過させて、下降位置Ｈ２に予め配置させておいた台車８（図中の二点鎖線）上にアイソレーター１を吊り降ろすことで、設備配管６を乗り越えてアイソレーター１を搬送させる。そして、アイソレーター１を台車８に固定した後に所定の箇所へ搬出する。
なお、アイソレーター１を取り外した柱３の免震部に新たなアイソレーター１を設置する場合には、上述した逆の手順により行う。
【００２３】
上述のように本第１の実施の形態によるアイソレーター搬送機構では、簡単な構成の構造で、搬送路Ｒに設けられた設備配管６の上方を乗り越えてアイソレーター１を容易に搬送させることができることから、アイソレーター１を交換する場合であっても、設備配管６の一部を取り外して搬送路を確保するといった作業が不要となり、作業効率の向上を図ることができる。
【００２４】
次に、他の実施の形態および変形例について、添付図面に基づいて説明するが、上述の第１の実施の形態と同一又は同様な部材、部分には同一の符号を用いて説明を省略し、第１の実施の形態と異なる構成について説明する。
【００２５】
図５は第１の実施の形態の変形例による第１アイソレーター搬送機構の構成を示す一部破断側面図である。
図５に示すように、第１の実施の形態の変形例は、図１で示したチェーンブロック１２に代えてローヘッド型のチェーンブロック１３（昇降手段、吊上げ装置）を採用したものであり、前記チェーンブロック１２が使用できないような吊り代が小さな場合に適用される。本変形例のチェーンブロック１３は、フック１３ｂの位置がトロリ１３ａの近傍、つまりガイドレール１１の下面１１ｂ付近まで上昇できる構造であり、レール下面１１ｂからフック１３ｂまでの距離を小さくした構造となっている。その他の構成は、上述した第１の実施の形態と同様の構成であり、アイソレーター１に吊り冶具７を取り付けて、ローヘッド型のチェーンブロック１３によって吊り上げるようになっている。
【００２６】
次に、図６は第２の実施の形態による第２アイソレーター搬送機構の構成を示す一部破断側面図、図７は第２アイソレーター搬送機構を上から見た図、図８は図７に示すＣ−Ｃ線矢視図である。
図６乃至図８に示すように、第２の実施の形態による第２アイソレーター搬送機構２０は、上述した第１アイソレーター搬送機構１０と同様に設備配管６の上方を乗り越えてアイソレーター１を搬送させるために採用され、設備配管６の上方で横断方向Ｆに配される一対のガイドレール２１、２１（横移動手段）と、ガイドレール２１、２１を下方より支持する架台２２と、ガイドレール２１、２１に沿って横移動する移動ガータ２３（横移動手段）と、移動ガータ２３に設けられたローヘッド型のチェーンブロック２４（昇降手段、吊上げ装置）とから概略構成されている。
【００２７】
ガイドレール２１、２１は、Ｈ形鋼材からなり、互いに所定間隔を空けて平行に配置されている。移動ガータ２３は、その両端部にガイドレール２１、２１上を転動可能な転動体２５、２５を介して、一対のガイドレール２１、２１上に跨るようにして架設されている。架台２２は、図８に示すように門型形状に枠組みされ、その内空部をチェーンブロック２４によって吊り上げたアイソレーター１が通過できるようになっている。転動体２５として周知のチルタンクが使用され、移動ガータ２３の移動方向側に電動又は手動のウインチ等を配置し、そのウインチのワイヤを移動ガータ２３に固定してワイヤを巻き取ることで移動ガータ２３を横移動させるように構成されている。なお、チェーンブロック２４は、トロリ２４ａにより移動ガータ２３の長手方向（横断方向Ｆに直交する方向）に沿って移動可能であり、アイソレーター１に取り付けた吊り冶具７（図２〜図４参照）を吊り上げるように構成されている。
【００２８】
このように構成される第２アイソレーター搬送機構２０では、チェーンブロック２４の吊り下げ位置（上昇位置Ｈ１）へアイソレーター１を載せた台車８を移動させ、そのアイソレーター１を吊り上げた後、移動ガータ２３を設備配管６の上方を通過する位置までガイドレール２１に沿って搬送側に向けて横移動させ、下降位置Ｈ２において予め配置させておいた二点鎖線で示す台車８上にアイソレーター１を吊り下げて搬送することができるため、本第２の実施の形態では、第１の実施の形態と同様にアイソレーター１の交換にかかる作業効率の向上を図ることができる。
【００２９】
次に、図９は第３の実施の形態による第３アイソレーター搬送機構の構成を示す一部破断側面図、図１０は図９に示す第３アイソレーター搬送機構を上から見た図、図１１は図１０に示すＤ−Ｄ線矢視図、図１２は吊り台車の構成を示す図であって、（ａ）はその側面図、（ｂ）はその平面図である。
図９乃至図１１に示すように、第３アイソレーター搬送機構３０は、上述した第２の実施の形態の第２アイソレーター搬送機構２０を変形した構成であり、設備配管６の上方で横断方向Ｆに配置されているガイドレール３１、３１（横移動手段）に沿って一対の移動ガータ３３（３３Ａ、３３Ｂ）（横移動手段）を設けた構成となっている。ガイドレール３１、３１は、門型形状の架台３２によって支持され、移動ガータ３３は転動体３５を介してガイドレール３１上を移動できるようになっている。移動ガータ３３Ａ、３３Ｂには、それぞれ２つのチェーンブロック３４、３４（昇降手段、吊上げ装置）が設けられている。そして、本第２の実施の形態では、アイソレーター１は、上昇時にチェーンブロック３４で吊上げ可能な吊り台車９に載置されるようになっている。
【００３０】
図１２（ａ）および（ｂ）に示すように、吊り台車９は、平面視四角形状の板状体をなし、上面にアイソレーター１を載置させた状態でボルト等で固定可能とされ、その吊り台車９の４つの角部のそれぞれにチェーンブロック３４のフック３４ｂを引掛ける係止部９ａ、９ａ、…が設けられている。つまり、４つのチェーンブロック３４、３４、…でアイソレーター１を載置させた吊り台車９を吊り上げるように構成されている。
【００３１】
本第３の実施の形態では、柱３から取り外したアイソレーター１を吊り台車９に載置して固定し、その吊り台車９を移動ガータ３３Ａ、３３Ｂの吊り上げ位置（上昇位置Ｈ１）に移動させ、吊り台車９とともにアイソレーター１を吊り上げて、移動ガータ３３Ａ、３３Ｂを搬送側に向けて横移動させ、吊り降ろし位置（下降位置Ｈ２）で吊り台車９ごとスラブ５Ｂ上に降ろすことで設備配管６を乗り越えてアイソレーター１を搬送させることができる。本第３アイソレーター搬送機構３０では、上述した第１および第２の実施の形態のように設備配管６を乗り越える際にいちいち台車（図１、図５、図６等に示す符号８）にアイソレーター１を載せ替える手間がなくなり、作業効率の向上を図ることができる。
【００３２】
次に、図１３は第４の実施の形態による第４アイソレーター搬送機構の構成を示す一部破断側面図、図１４は第４アイソレーター搬送機構を上から見た図であって、移動コロ架台を取り外した状態を示す図、図１５は図１４に示すＥ−Ｅ線矢視図である。
図１３乃至図１５に示すように、第４アイソレーター搬送機構４０は、設置配管６の上方位置に固定配置された固定コロ架台４１（横移動手段）と、固定コロ架台４１を挟んだ横断方向Ｆ両側に取り外し可能に隣接配置された移動コロ架台４２（横移動手段）と、移動コロ架台４２の設置箇所でその架台４２上に吊上げ冶具４４（昇降手段、吊上げ装置）を取り付けた門型架台４３とから概略構成されている。固定コロ架台４１の上面には、多数のコロを横断方向Ｆに配列させた移送コロ４１ａが設けられている。
【００３３】
移動コロ架台４２は、固定コロ架台４１と同様の構成をなし、移送コロ４２ａの高さは、固定コロ架台４１の移送コロ４１ａの高さと同じ高さとなっている。つまり、アイソレーター１は、隣接配置された固定コロ架台４１と移動コロ架台４２との間で横移動させることが可能な構成となっている。移送コロ架台４２は、後述するようにアイソレーター１を搬送させる過程において、門型架台４３の吊上げ冶具４４で吊り冶具７を備えたアイソレーター１を吊り上げた状態のときに取り付けられるものである。
【００３４】
第４の実施の形態によるアイソレーター１の交換手順としては、先ず柱３から取り外したアイソレーター１を載せた台車（図示省略）を吊り上げ位置（上昇位置Ｈ１）の門型架台４３の位置に移動させ、吊上げ冶具４４でアイソレーター１を吊り上げ、台車を退避させ、その上昇させた状態のままアイソレーター１の下方に固定コロ架台４１に隣接させて移動コロ架台４２Ａを組み立てる。このとき、固定コロ架台４１の設備配管６を挟んだ反対側の門型架台４３の位置（下降位置Ｈ２）にも移動コロ架台４２Ｂ（図１３に示す二点鎖線）を組み立てておく。その後、上昇させたアイソレーター１をその下方の移動コロ架台４２Ａの移送コロ４２ａ上に降ろし、それぞれのコロ架台４２Ａ、４１、４２Ｂの移送コロ４２ａ、４１ａ上を搬送側に向けて横移動させて、反対側に設置した移動コロ架台４２Ｂ上にアイソレーター１を移動させる。
【００３５】
次に、アイソレーター１を門型架台４３の吊り上げ冶具４４、４４で吊上げて上昇させ、その下方に位置する移動コロ架台４２Ｂを取り外してから、前記上昇させたアイソレーター１を搬送路Ｒに用意した台車（図示省略）に下降させることで、設備配管６を乗り越えてアイソレーター１を搬送させることができる。
本第４アイソレーター搬送機構４０では、上述した第１〜第３アイソレーター搬送機構１０、２０、３０のように横移動用のガイドレールやそのガイドレール上を移動するガータ等の設備が不要となる。
【００３６】
次に、図１６は第５の実施の形態による第５アイソレーター搬送機構の構成を示す一部破断側面図、図１７は図１６に示すＦ−Ｆ線矢視図である。
図１６および図１７に示すように、本第５の実施の形態による第５アイソレーター搬送機構５０は、上述した図１３に示す第４アイソレーター搬送機構４０の吊上げ冶具４４を備えた門型架台４３を使用しない構成であって、その代わりに油圧式シリンダ５５を使用した門型形状の吊上げ架台５４（昇降手段、吊上げ装置）を採用したものである。
【００３７】
具体的には、設備配管６の位置には固定コロ架台５１（横移動手段）が設けられ、その横断方向両側に図１６の二点鎖線で示す移動コロ架台５２（５２Ａ、５２Ｂ）（横移動手段）が取り外し可能に配置されている。
吊上げ架台５４は、移動コロ架台５２Ａ、５２Ｂが配置される位置にそれぞれ配置されており、それぞれの上部枠材５４ａに吊り部材をなす一対のチェーン５７、５７が図１７に示す正面視で左右両側に設けられている。つまり、上部枠材５４ａから両脚部枠材５４ｂ、５４ｂにかけて適宜な位置にスプロケット５６、５６、…が配置され、それらスプロケット５６、５６、…にチェーン５７、５７が巻き回され、チェーン５７の基端５７ｂが油圧式シリンダ５５の先端５５ａに固定され、チェーン５７の先端に設けた係止部５７ａがアイソレーター１に取り付けた吊り冶具７に係止される構成となっている。つまり、油圧式シリンダ５５の伸縮によりチェーン５７の係止部５７ａが上下移動する構造になっている。
【００３８】
本第５アイソレーター搬送機構５０によるアイソレーター１の交換手順は、アイソレーター１の上昇位置Ｈ１、および下降位置Ｈ２において、左右に設けられている一対の油圧式シリンダ５５、５５をほぼ同調させて駆動させることにより両チェーン５７、５７の係止部５７ａ、５７ａを上下方向に移動させる方法によりアイソレーター１を昇降させる方法によるものであり、その他の手順は上述した第４アイソレーター搬送機構４０とほぼ同様であることから、本第５の実施の形態では第４の実施の形態と同様の作用効果を奏する。
【００３９】
次に、図１８は第６の実施の形態による第６アイソレーター搬送機構の構成を示す一部破断側面図、図１９は図１８に示す第６アイソレーター搬送機構を上から見た図、図２０は図１９に示すＧ−Ｇ線矢視図である。
図１８乃至図２０に示すように、本第６の実施の形態による第６アイソレーター搬送機構６０は、上述した図１３に示す第４アイソレーター搬送機構４０の移動コロ架台４２に代えてリフト機構を備えたリフト架台６２（６２Ａ、６２Ｂ）（横移動手段、昇降手段、昇降ロコ架台）を設けた構成となっている。
【００４０】
設備配管６の箇所に固定配置される固定コロ架台６１（横移動手段）は、上述した第４アイソレーター搬送機構４０の固定コロ架台４１と同じ構成であり、上面に多数のコロを横断方向Ｆに配列させた移送コロ６１ａが設けられている。リフト架台６２Ａ、６２Ｂは、上面に移送コロ６２ａを備えたステージ６２ｂと、ステージ６２ｂを昇降させるための昇降ジャッキ６２ｃとから構成されている。そして、リフト架台６２Ａ、６２Ｂは、その移送コロ６２ａの高さがステージ６２ｂの上昇位置において固定コロ架台６１の移送コロ６１ａの高さと同じ高さとなっている。また、本リフト架台６２では、アイソレーター１を載置させた吊り台車９ごとステージ６２ｂ上に載せることが可能な構成となっている。
【００４１】
第６の実施の形態によるアイソレーター１の交換手順としては、柱３から取り外したアイソレーター１を上昇位置Ｈ１で、移送コロ６２ａを下降させた状態のリフト架台６２Ａ上にアイソレーター１を載置した後、リフト架台６２Ａ上のアイソレーター１を、移送コロ６２ａが固定コロ架台６１の移送コロ６１ａと同じ高さになるように昇降ジャッキ６２ｃの駆動によりステージ６２ｂを上昇させる。このとき、下降位置Ｈ２のリフト架台６２Ｂの移送コロ６２ａも固定コロ架台６１の移送コロ６１ａと同じ高さにしておき、それぞれの架台６２Ａ、６１、６２Ｂ上を搬送側に向けて横移動させて、下降位置Ｈ２のリフト架台６２Ｂ上にアイソレーター１を移動させる。そして、リフト架台６２Ｂの昇降ジャッキ６２ｃによりステージ６２ｂをアイソレーター１とともに下降させることで、設備配管６を乗り越えてアイソレーター１を搬送させることができることから、上述した実施の形態と同様の効果を奏する。
【００４２】
以上、本発明によるアイソレーター搬送機構の第１〜第６の実施の形態および変形例について説明したが、本発明は上記の実施の形態に限定されるものではなく、その趣旨を逸脱しない範囲で適宜変更可能である。
例えば、本実施の形態では設備配管６を搬送路Ｒの障害物としているが、これに限定されることはなく、例えば、スラブ上に構造上の段差部等がある場合に、この段差部（障害物）の上方を乗り越えてアイソレーターを搬送させることができる。
また、吊り冶具７、吊り台車９の大きさ、形状、その他の構成は本実施の形態に限定されることはなく、アイソレーターの重量、搬送路Ｒの広さなどの条件に応じて任意に設定することができる。
【００４３】
さらに、本実施の形態では柱３から取り外したアイソレーター１を最初に上昇させる位置を上昇位置Ｈ１とし、その上昇位置Ｈ１に対して設備配管６を挟んで反対側の位置を下降位置Ｈ２としているが、これはアイソレーター１を搬出する際の説明上適用したものであり、柱３の免震部にアイソレーターを搬入する場合には、上記上昇位置と下降位置とが逆になることは言うまでもない。
【図面の簡単な説明】
【００４４】
【図１】本発明の第１の実施の形態による第１アイソレーター搬送機構の概略を示す一部破断側面図である。
【図２】アイソレーターに吊り冶具を取り付けた状態を上から見た図である。
【図３】図２のＡ−Ａ線矢視図であって、係止ピンにチェーンブロックのフックを係止させた状態の図である。
【図４】図２に示すＢ−Ｂ線矢視図である。
【図５】第１の実施の形態の変形例による第１アイソレーター搬送機構の構成を示す一部破断側面図である。
【図６】第２の実施の形態による第２アイソレーター搬送機構の構成を示す一部破断側面図である。
【図７】第２アイソレーター搬送機構を上から見た図である。
【図８】図７に示すＣ−Ｃ線矢視図である。
【図９】第３の実施の形態による第３アイソレーター搬送機構の構成を示す一部破断側面図である。
【図１０】図９に示す第３アイソレーター搬送機構を上から見た図である。
【図１１】図１０に示すＤ−Ｄ線矢視図である。
【図１２】吊り台車の構成を示す図であって、（ａ）はその側面図、（ｂ）はその平面図である。
【図１３】第４の実施の形態による第４アイソレーター搬送機構の構成を示す一部破断側面図である。
【図１４】第４アイソレーター搬送機構を上から見た図であって、移動コロ架台を取り外した状態を示す図である。
【図１５】図１４に示すＥ−Ｅ線矢視図である。
【図１６】第５の実施の形態による第５アイソレーター搬送機構の構成を示す一部破断側面図である。
【図１７】図１６に示すＦ−Ｆ線矢視図である。
【図１８】第６の実施の形態による第６アイソレーター搬送機構の構成を示す一部破断側面図である。
【図１９】図１８に示す第６アイソレーター搬送機構を上から見た図である。
【図２０】図１９に示すＧ−Ｇ線矢視図である。
【符号の説明】
【００４５】
１  アイソレーター
２  建物（構造物）
３  柱
５、５Ａ、５Ｂ  スラブ
６  設備配管（障害物）
７  吊り冶具
９  吊り台車
１０、２０、３０、４０、５０、６０  第１〜第６アイソレーター搬送機構
１１、２１、３１  ガイドレール（横移動手段）
１２、１３、２４、３４  チェーンブロック（昇降手段、吊上げ装置）
２３、３３  移動ガータ（横移動手段）
４１、５１、６１  固定コロ架台（横移動手段）
４１ａ、６１ａ  移送コロ
４２、５２  移動コロ架台（横移動手段）
４２ａ、６２ａ  移送コロ
４４  吊上げ冶具（昇降手段、吊上げ装置）
５４  吊上げ架台（昇降手段、吊上げ装置）
６２  リフト架台（横移動手段、昇降手段、昇降ロコ架台）
Ｈ１  上昇位置
Ｈ２  下降位置
Ｒ  搬送路
【図１】
0005267851.tif 000002
【図２】
0005267851.tif 000003
【図３】
0005267851.tif 000004
【図４】
0005267851.tif 000005
【図５】
0005267851.tif 000006
【図６】
0005267851.tif 000007
【図７】
0005267851.tif 000008
【図８】
0005267851.tif 000009
【図９】
0005267851.tif 000010
【図１０】
0005267851.tif 000011
【図１１】
0005267851.tif 000012
【図１２】
0005267851.tif 000013
【図１３】
0005267851.tif 000014
【図１４】
0005267851.tif 000015
【図１５】
0005267851.tif 000016
【図１６】
0005267851.tif 000017
【図１７】
0005267851.tif 000018
【図１８】
0005267851.tif 000019
【図１９】
0005267851.tif 000020
【図２０】
0005267851.tif 000021